(57)【要約】【課題】長期間に亘って安定した羽根駆動を実現できる羽根駆動装置及び撮像装置を提供すること。【解決手段】ベースとなる地板３ａと、地板３ａに設けられて光通過経路に出入りして光の量を調整する光量調整羽根を移動させる駆動手段とを備え、駆動手段は、光量調整羽根の移動を一時的に緊定する緊定手段４３を有し、緊定手段は、地板３ａに設けられた回転中心軸４３１の軸周りにおいて、光量調整羽根の移動を緊定する緊定位置と緊定解除位置との間で回転する緊定解除レバー４３を有し、緊定解除レバー４３は、回転中心軸４３１との間に介在するボール部材４３５によって回転中心軸４３１の軸周りに回転可能であることを特徴とする羽根駆動装置にある。【選択図】図６
2016095466.tif 000002
【特許請求の範囲】
【請求項１】
地板と、前記地板に設けられて光通過経路に出入りして光の量を調整する光量調整羽根を移動させる駆動手段とを備え、
前記駆動手段は、前記光量調整羽根の移動を一時的に緊定する緊定手段を有し、
前記緊定手段は、前記地板に設けられた回転中心軸の軸周りにおいて、前記光量調整羽根の移動を緊定する緊定位置と緊定解除位置との間で回転する緊定解除レバーを有し、
前記緊定解除レバーは、前記回転中心軸との間に介在するボール部材によって前記回転中心軸の軸周りに回転可能であることを特徴とする羽根駆動装置。
【請求項２】
前記駆動手段は、前記光量調整羽根に結合された駆動レバーと、前記駆動レバーの駆動を緊定する緊定レバーとを更に有し、
前記緊定解除レバーが前記緊定位置にあるときに前記緊定レバーが前記駆動レバーの駆動を緊定した緊定状態となる一方、前記緊定解除レバーを前記緊定位置から前記緊定解除位置に向けて回転させることによって前記緊定レバーの緊定状態を解除することを特徴とする請求項１に記載の羽根駆動装置。
【請求項３】
請求項１又は２に記載の羽根駆動装置を備えたことを特徴とする撮像装置。
【発明の詳細な説明】
【技術分野】
【０００１】
本発明は、一眼レフカメラ等において実装されるフォーカルプレーンシャッタ装置などに組み込まれる羽根駆動装置、及びこの羽根駆動装置を備えた撮像装置に関する。
【背景技術】
【０００２】
従来から、露光動作を行うためのシャッタ羽根を駆動する機構が知られている（特許文献１参照）。この特許文献１のシャッタ構成では、アーマチャーレバーを電磁石装置で吸着した状態を解放すると、これに伴ってシャッタ羽根が駆動するようになっている。
【先行技術文献】
【特許文献】
【０００３】
【特許文献１】特開平０１−２４５２３２号公報
【発明の概要】
【発明が解決しようとする課題】
【０００４】
近年、シャッタ羽根等の羽根駆動装置においては、シャッタ動作の耐久性向上に対する要望が高く、シャッタ回数の増大に伴ってアーマチャレバーの駆動系に断続的な負荷がかかるため、長期間に亘って安定的な羽根駆動が困難となってきている。
【０００５】
本発明は、長期間に亘って安定した羽根駆動を実現できる羽根駆動装置及び撮像装置を提供する。
【課題を解決するための手段】
【０００６】
本発明は、地板と、前記地板に設けられて光通過経路に出入りして光の量を調整する光量調整羽根を移動させる駆動手段とを備え、前記駆動手段は、前記光量調整羽根の移動を一時的に緊定する緊定手段を有し、前記緊定手段は、前記地板に設けられた回転中心軸の軸周りにおいて、前記光量調整羽根の移動を緊定する緊定位置と緊定解除位置との間で回転する緊定解除レバーを有し、前記緊定解除レバーは、前記回転中心軸との間に介在するボール部材によって前記回転中心軸の軸周りに回転可能であることを特徴とする羽根駆動装置にある。このような本発明の態様によれば、緊定解除レバーがボール部材を介して回転中心軸の軸周りに摺動性良く回転するため、長期間に亘って安定した羽根駆動を実現できる。
【０００７】
また、上記本発明では、前記駆動手段は、前記光量調整羽根に結合された駆動レバーと、前記駆動レバーの駆動を緊定する緊定レバーとを更に有し、前記緊定解除レバーが前記緊定位置にあるときに前記緊定レバーが前記駆動レバーの駆動を緊定した緊定状態となる一方、前記緊定解除レバーを前記緊定位置から前記緊定解除位置に向けて回転させることによって前記緊定レバーの緊定状態を解除することを特徴とする。このような本発明の態様によれば、緊定解除レバーと光量調整羽根との間の駆動伝達を、光量調整羽根に連結された駆動レバーとこの駆動レバーに作用する緊定レバーとで確実に行うことができる。
【０００８】
なお、本発明は、上記羽根駆動装置に限らず、この羽根駆動装置を備えたカメラ等の撮像装置にも広く適用することができる。このような本発明の態様によれば、長期に亘って安定した羽根駆動が行える撮像装置を実現でき、撮影に対する信頼性を向上できる。
【発明の効果】
【０００９】
本発明によれば、長期間に亘って安定した羽根駆動を実現できる羽根駆動装置及び撮像装置を実現することができる。
【図面の簡単な説明】
【００１０】
【図１】実施形態１に係るフォーカルプレーンシャッタの分解斜視図。
【図２】図１のシャッタ駆動系のブロック図。
【図３】図１の先羽根群駆動系の要部拡大平面図。
【図４】図１の先羽根群駆動系の要部拡大平面図。
【図５】実施形態１に係る緊定解除レバーの概略断面図。
【図６】図５の緊定解除レバーの断面図。
【図７】他の実施形態に係る緊定解除レバーの断面図。
【発明を実施するための形態】
【００１１】
以下、本発明を実施形態に基づいて詳細に説明する。
【００１２】
＜実施形態１＞
図１には、本発明の実施形態１に係る羽根駆動装置を備えたフォーカルプレーンシャッタの分解斜視図を示す。図２には、シャッタ駆動系のブロック図を示す。図３及び図４には、先羽根群駆動系の要部拡大平面図を示す。
【００１３】
図１に示すように、本実施形態のフォーカルプレーンシャッタ（以下、シャッタ装置ともいう）１は、開口部（アパーチャ）２を有する第１基板（地板）３ａと、この第１基板３ａに対して間隔を置いて接合される第２基板（カバー部材）３ｂとを有する。
【００１４】
また、第１基板３ａ及び第２基板３ｂの間には、複数の羽根４ａにより構成される先羽根群４が走行可能に保持される。なお、図示しないが、第１基板３ａとは反対側の第２基板３ｂ側には、先羽根群４と略同じ構成の複数の羽根により構成される後羽根群が走行可能に保持される。
【００１５】
そして、シャッタ装置１の端部には、図２に示すような、先羽根群４を動作させるための先羽根作動モータ４０と、後羽根群５を動作させるための後羽根作動モータ５０とが実装されている。
【００１６】
具体的には、図２に示すレリーズスイッチ１０からのレリーズ信号が入力されるＣＰＵ２０は、撮影条件から適切な露出時間を算出し、その結果に見合うスリットを形成するように各羽根の走行信号を発生する。
【００１７】
そして、ＣＰＵからの信号は、先羽根作動モータドライバ３０Ａ及び後羽根作動モータドライバ３０Ｂにそれぞれ出力される。すなわち、先羽根作動モータドライバ３０Ａ及び後羽根作動モータドライバ３０Ｂは、ＣＰＵ２０からの信号を受け付けて先羽根動作モータ４０、後羽根作動モータ５０の作動させるための電流をオン・オフさせる。
【００１８】
これにより、第２基板３ｂの第１基板３ａ側である一方面側では先羽根群４が走行し、第２基板３ｂの第１基板３ａ側とは反対の他方面側では後羽根群５が走行するが、これら先羽根群４と後羽根群５との走行タイミング及び各走行速度をＣＰＵ２０が調整し、先羽根群４と後羽根群５との間で露光用のスリット調整が行われる。
【００１９】
ここで、図３及び図４を用いて、羽根を駆動する駆動手段の一部を構成する先羽根群駆動系の詳細について説明する。
【００２０】
図３及び図４に示すように、先羽根群４は、先羽根作動モータ４０からの動力を受ける先駆動レバー４１が連結されている。この先駆動レバー４１をその回転軸４１ａの軸周りに回動させることにより、先羽根群４が走行する構成となっている。
【００２１】
また、本実施形態の第１基板３ａには、先駆動レバー４１の端部に当接する先緊定レバー４２が図示しないバネによって回転可能に設けられている。さらに、この先緊定レバー４２は、緊定解除レバー４３によって回転が規制（緊定）されている。なお、この緊定解除レバー４３は、不図示の駆動モータによって回転駆動制御される。
【００２２】
すなわち、図３に示すような先羽根群４の走行前である待機状態（緊定状態）から、図４に示すように、緊定解除レバー４３用の駆動モータからの動力が伝達されることによって、緊定解除レバー４３を回転（図中反時計周りに回転）させる。これにより、緊定解除レバー４３の端部４３ａが先緊定レバー４２の係合端部４２ａを押し上げる。このとき、先緊定レバー４２の先端部（緊定端部）４２ｂが先駆動レバー４１の端部４１ｂに当接している状態（緊定状態）から外れる状態となるまで、先緊定レバー４２の係合端部４２ａを押し上げる。このような動作によって、緊定状態が完全に解除され、先駆動レバー４１を通じて先羽根群４の走行が開始される。なお、このような緊定解除レバー４３を含む緊定手段の駆動は、上述したＣＰＵによって制御される。
【００２３】
次に、図５及び図６を参照して、緊定解除レバー４３の構成について説明する。図５は、本発明の実施形態１に係る緊定解除レバーの概略断面図であり、図６は図５の断面図である。図５及び図６に示すように、第１基板３ａと第２基板３ｂとの間に回転中心軸４３１が挟まれて固定される。また、緊定解除レバー４３は、回転中心軸４３１が挿通される貫通孔４３２と、一端部の外周に設けられるマグネット４３３と、外周に巻回される戻しバネ４３４と、他端の外周から回転中心軸４３１と直交する方向に突出する押動部（端部４３ａ）とを有する。
【００２４】
そして、回転中心軸４３１と緊定解除レバー４３との間には、複数のボール部材４３５が介在し、ベアリング構造となっている。すなわち、緊定解除レバー４３は、複数のボール部材４３５を介して回転中心軸４３１の軸周りに回転可能に保持されている。各ボール部材４３５は、回転中心軸４３１、及び緊定解除レバー４３の貫通穴４３２に設けられた球状の溝部に回転可能に保持される。また、複数のボール部材４３５は、例えば、本実施形態では金属球を用いているが、セラミックス球であってもよい。また、このようなボール部材４３５の周囲には、例えば、グリスやオイルなどの摺動性を高めるための潤滑剤を介在させてもよい。
【００２５】
なお、緊定解除レバー４３のマグネット４３３と不図示のアーマチャとが磁力によって吸着している状態から、駆動モータによってその吸着を解除し、緊定解除レバー４３をそのまま回転させることにより、緊定解除（上記図４の状態））を行う。なお、緊定解除後は、戻しバネ４３５の付勢力を受けて、緊定解除レバー４３のマグネット４３３とアーマチャとが吸着する位置まで緊定解除レバー４３が回転する。これにより、上述した緊定状態（上記図３の状態）に戻る。
【００２６】
このように、本実施形態のシャッタ装置１では、先羽根群４の移動を一時的に緊定／緊定解除が可能な緊定解除レバー４３を、第１基板３ａ及び第２基板３ｂ間で固定された回転中心軸４３１の軸周りに回転させる機構において、緊定解除レバー４３と回転中心軸４３１の間に複数のボール部材４３５を介在させたボールベアリング構造を適用したことで、長期間に亘って安定した羽根駆動を実現することができる。
【００２７】
特に、本実施形態によれば、緊定解除レバー４３と回転中心軸４３１との摺接する部分が複数のボール部材４３５としているため、実質的に線接触となって、摺動負荷を低減できることから、シャッタの駆動回数を増やしても、長期に亘った安定駆動を実現できる。
【００２８】
また、緊定解除レバー４３は、高速駆動を実現するため、金属製よりも比較的軽量な樹脂製の方が好ましい。回転中心軸４３１を金属製とし、樹脂製の緊定解除レバー４３とする場合、外部環境の温度変化に伴って収縮率が異なる。逆に回転中心軸４３１を樹脂製とし、緊定解除レバー４３を金属製としても同様である。これに対し、本実施形態では、緊定解除レバー４３の回転機構にベアリング構造を適用しているため、高い摺動性が得られる他、摺接部分を実質的に低減できるため、部材間の熱収縮等による影響を効果的に抑えることができる。したがって、本実施形態の構成によれば、外部環境の温度変化があっても、長期間に亘って安定した羽根駆動を実現することができる。
【００２９】
さらに、本実施形態のシャッタ装置１によれば、上記ベアリング構造を緊定解除レバー４３の回転機構に適用することにより、例えば、緊定解除動作のバラツキを効果的に抑えることが可能となる他、制御機構部のサイズ拡大を抑えることも可能である。これにより、制御機構部を搭載したシャッタ装置は、環境耐久を通して露出時間のバラツキを効果的に低減することが可能となる。
【００３０】
＜他の実施形態＞
以上、本発明を実施形態１に基づいて詳細に説明したが、本発明は上述した実施形態１に限定されるものではない。例えば、上述した実施形態１では、シャッタ羽根に結合された各駆動レバーの駆動を緊定する緊定レバーに対し、緊定解除レバー４３を作用させるようにしたが、本発明は勿論これに限定されず、駆動レバーに対して緊定解除レバーを直接作用させてもよい。
【００３１】
また、上述した実施形態１では、回転中心軸４３１を第１基板３ａと第２基板３ｂとで挟んで固定した構造について説明したが、本発明は勿論これに限定されず、例えば、図７に示すように、何れか一方の基板だけから回転中心軸４３１Ａを突出して片持ち状態に設けてもよい。
【００３２】
さらに、上述した実施形態１では、先羽根群の駆動系に本発明を適用した場合について説明したが、本発明は勿論これに限定されず、例えば、先羽根群だけでなく後羽根群に対しても適用してもよい。
【００３３】
なお、上述した実施形態１では、羽根駆動装置としてシャッタ装置を例示して説明したが、本発明はこれに限定されず、例えば、その他の光量調整羽根を動作させるための駆動系のみに適用してもよいし、光量調整羽根を含む駆動系に適用してもよいし、このような羽根駆動装置を備えたカメラ等の撮像装置についても広く対象とするものである。
【図１】
2016095466.tif 000003
【図２】
2016095466.tif 000004
【図３】
2016095466.tif 000005
【図４】
2016095466.tif 000006
【図５】
2016095466.tif 000007
【図６】
2016095466.tif 000008
【図７】
2016095466.tif 000009